(57)【要約】【課題】本発明は携帯用照明ライトを開示した。【解決手段】ライト主体を含み、前記ライト主体の中には中部チャンバが設置され、前記中部チャンバの左側部分の中には照明機構が設置され、前記中部チャンバの右側部分の中には照明機構の角度を調整する調整機構が設置され、前記ライト主体の底端には底溝が設置され、前記底溝の中には装置全体を支える支え機構が設置され、前記ライト主体の頂端には頂部溝が設置され、前記頂部溝の中には取っ手機構が設置され、前記照明機構は前記中部チャンバの中にスライドできるように設置されるスライドブロックを含み、前記スライドブロックの中には空き溝が設置され、前記空き溝の左側には矩形溝が設置され、前記矩形溝が上下に対称的に設置される。【選択図】図１
2020181800.tif 000002
【特許請求の範囲】
【請求項１】
正面視で、ライト主体を含み、前記ライト主体の中には中部チャンバが設置され、前記中部チャンバの左側部分の中には照明機構が設置され、前記中部チャンバの右側部分の中には照明機構の角度を調整する調整機構が設置され、前記ライト主体の底端には底溝が設置され、前記底溝の中には装置全体を支える支え機構が設置され、前記ライト主体の頂端には頂部溝が設置され、前記頂部溝の中には取っ手機構が設置され、前記照明機構は前記中部チャンバの中にスライドできるように設置されるスライドブロックを含み、前記スライドブロックの中には空き溝が設置され、前記空き溝の左側には矩形溝が設置され、前記矩形溝が上下に対称的に設置され、上下に対称している二組の前記矩形溝の間が連通し設置され、二組の前記矩形溝の中にはいずれも歯車が回転できるように設置され、前記歯車の前側端面にはいずれもプーリが固定的に設置され、前記プーリの間がベルトにより伝動できるように連結され、前記空き溝の上下端壁には二組のスライド溝が対称的に設置され、上下に対称している二組の前記スライド溝の間には第一スライド板がスライドできるように設置され、前記第一スライド板の左側端面には第二スライド板が固定的に設置され、前記第二スライド板と前記ベルトとが固定的に設置され、二組の前記矩形溝の片側端壁にはいずれも横向きスライド溝が設置され、前記横向きスライド溝の左側が前記スライドブロックを貫通しており、前記横向きスライド溝の中にはいずれも横ラックがスライドできるように設置され、前記スライドブロックの左側端面にはランプシェードがヒンジにより連結され、前記ランプシェードの中には照明ライトが設置され、前記横ラックの左側端と前記ランプシェードの右端とが当接され、前記横ラックがスライドすることにより前記ランプシェードを揺れさせることができ、さらに前記照明ライトの角度を調整できることを特徴とする携帯用照明ライト。
【請求項２】
前記調整機構は前記中部チャンバの中に固定的に設置される固定板を含み、前記固定板の中にはねじ山スリーブが回転できるように設置され、前記ねじ山スリーブ筒の右端には第一傘歯車が固定的に設置され、前記ねじ山スリーブ筒の中にはねじロッド軸が回転できるようにねじ山により連結され、前記ねじロッド軸の左側末端と前記スライドブロックの右側とが固定的に連結され、前記ねじロッド軸の中にはスプライン軸が回転できるように設置され、前記スプライン軸の左側末端には前記第一スライド板と噛み合って設置される動力歯車が固定的に設置され、前記中部チャンバの右側端壁の中にはスプラインスリーブが回転できるように設置され、前記スプライン軸が前記スプラインスリーブの中に挿入されており、且つ前記スプラインスリーブとスプラインにより連結され、前記スプラインスリーブと前記ねじロッド軸とが隙間ばめのように設置され、前記スプラインスリーブの右側には第一回転盤が固定的に設置され、前記中部チャンバの頂壁には従動回転軸が回転できるように設置され、前記従動回転軸の底端には前記第一傘歯車と噛み合っている第二傘歯車が固定的に設置され、前記従動回転軸の外周には従動プーリが固定的に設置され、前記中部チャンバの頂壁の中の右側位置には伝動チャンバが設置され、前記伝動チャンバと前記中部チャンバとの間には伝動軸が回転できるように設置され、前記伝動軸の底端には動力プーリが固定的に設置され、前記動力プーリと前記従動プーリとの間が伝動ベルトにより伝動できるように連結され、前記伝動軸の頂端には第三傘歯車が固定的に設置され、前記伝動チャンバの右側端壁の中には動力軸が回転できるように設置され、前記動力軸の右端には第二回転盤が固定的に設置され、前記動力軸の左側末端には第四傘歯車が固定的に設置され、前記第四傘歯車と前記第三傘歯車とが噛み合い設置され、手動により前記第二回転盤を回転させ、これにより前記動力軸が前記第四傘歯車を回転連動させ、これにより前記第三傘歯車が前記動力プーリを回転連動させ、これにより前記従動プーリを回転させ、それにより第二傘歯車を回転させ、これにより前記第一傘歯車が前記ねじ山スリーブを回転連動させ、それにより前記ねじロッド軸を左右に移動させ、これにより前記スライドブロックを左右に移動させ、それにより前記ランプシェードが前記中部チャンバの中から伸び出すことができる又は前記中部チャンバの中に収納できることを特徴とする請求項１に記載の携帯用照明ライト。
【請求項３】
前記支え機構は前記底溝の頂壁に固定的に設置される挟み板を含み、前記挟み板が左右対称的に二組設置され、前記挟み板が弾性を持っており、前記挟み板の片側にある前記底溝の頂壁には止めブロックがいずれも固定的に設置され、前記底溝の前後端壁の間には第一支え板が回転できるように設置され、前記第一支え板が左右対称的に二組設置され、  前記第一支え板の片側末端には固定ブロックが固定的に設置され、前記第一支え板の前後端面にはいずれも第二支え板がヒンジにより設置され、手動により前記第一支え板を下ろし、これにより第二支え板を開け地面に置き、それにより前記ライト主体を支えることができることを特徴とする請求項１に記載の携帯用照明ライト。
【請求項４】
前記取っ手機構は前記頂部溝の左右両側端壁の中に設置される頂部スライド溝を含み、前記頂部スライド溝の中にはいずれも第三スライド板がスライドできるように設置され、前記第三スライド板と前記頂部スライド溝の片側端壁との間にはいずれもばねが取り付けられ、前記第三スライド板の片側端面にはいずれもスライドロッドが固定的に設置され、前記スライドロッドが前記頂部スライド溝の片側端壁を貫通しており、そして前記頂部スライド溝の片側端壁とがスライドできるように設置され、二組の前記スライドロッドの間には取っ手がヒンジにより連結され、手動で前記取っ手を上げることにより、前記ライト主体を携帯できることを特徴とする請求項１に記載の携帯用照明ライト。
【発明の詳細な説明】
【技術分野】
【０００１】
本発明は照明ライト技術分野を取り上げて、具体的には携帯用照明ライトである。
【背景技術】
【０００２】
現在市場にある手提げ式照明ライトは、大部分が単一の手提げ照明の機能しか持たなく、野外照明を満たすことができなく、例えば、野外で食事をしている時、照明ライトを使用したいなら、手で持つか、どこかに固定するかしかできないが、照明ライトの固定が非常に不便であり、そして固定した後に照射角度を調整しにくい。
【先行技術文献】
【特許文献】
【０００３】
【特許文献１】中国特許出願公開第１０４０４８１６９号明細書
【発明の概要】
【発明が解決しようとする課題】
【０００４】
本発明の目的は携帯用照明ライトを提供し、それは上記の現在の技術中の問題を解決できる。
【課題を解決するための手段】
【０００５】
本発明の携帯用照明ライトは、ライト主体を含み、前記ライト主体の中には中部チャンバが設置され、前記中部チャンバの左側部分の中には照明機構が設置され、前記中部チャンバの右側部分の中には照明機構の角度を調整する調整機構が設置され、前記ライト主体の底端には底溝が設置され、前記底溝の中には装置全体を支える支え機構が設置され、前記ライト主体の頂端には頂部溝が設置され、前記頂部溝の中には取っ手機構が設置され、前記照明機構は前記中部チャンバの中にスライドできるように設置されるスライドブロックを含み、前記スライドブロックの中には空き溝が設置され、前記空き溝の左側には矩形溝が設置され、前記矩形溝が上下に対称的に設置され、上下に対称している二組の前記矩形溝の間が連通し設置され、二組の前記矩形溝の中にはいずれも歯車が回転できるように設置され、前記歯車の前側端面にはいずれもプーリが固定的に設置され、前記プーリの間がベルトにより伝動できるように連結され、前記空き溝の上下端壁には二組のスライド溝が対称的に設置され、上下に対称している二組の前記スライド溝の間には第一スライド板がスライドできるように設置され、前記第一スライド板の左側端面には第二スライド板が固定的に設置され、前記第二スライド板と前記ベルトとが固定的に設置され、二組の前記矩形溝の片側端壁にはいずれも横向きスライド溝が設置され、前記横向きスライド溝の左側が前記スライドブロックを貫通しており、前記横向きスライド溝の中にはいずれも横ラックがスライドできるように設置され、前記スライドブロックの左側端面にはランプシェードがヒンジにより連結され、前記ランプシェードの中には照明ライトが設置され、前記横ラックの左側端と前記ランプシェードの右端とが当接され、前記横ラックがスライドすることにより前記ランプシェードを揺れさせることができ、さらに前記照明ライトの角度を調整できる。
【０００６】
さらなる技術プラン、前記調整機構は前記中部チャンバの中に固定的に設置される固定板を含み、前記固定板の中にはねじ山スリーブが回転できるように設置され、前記ねじ山スリーブ筒の右端には第一傘歯車が固定的に設置され、前記ねじ山スリーブ筒の中にはねじロッド軸が回転できるようにねじ山により連結され、前記ねじロッド軸の左側末端と前記スライドブロックの右側とが固定的に連結され、前記ねじロッド軸の中にはスプライン軸が回転できるように設置され、前記スプライン軸の左側末端には前記第一スライド板と噛み合って設置される動力歯車が固定的に設置され、前記中部チャンバの右側端壁の中にはスプラインスリーブが回転できるように設置され、前記スプライン軸が前記スプラインスリーブの中に挿入されており、且つ前記スプラインスリーブとスプラインにより連結され、前記スプラインスリーブと前記ねじロッド軸とが隙間ばめのように設置され、前記スプラインスリーブの右側には第一回転盤が固定的に設置され、前記中部チャンバの頂壁には従動回転軸が回転できるように設置され、前記従動回転軸の底端には前記第一傘歯車と噛み合っている第二傘歯車が固定的に設置され、前記従動回転軸の外周には従動プーリが固定的に設置され、前記中部チャンバの頂壁の中の右側位置には伝動チャンバが設置され、前記伝動チャンバと前記中部チャンバとの間には伝動軸が回転できるように設置され、前記伝動軸の底端には動力プーリが固定的に設置され、前記動力プーリと前記従動プーリとの間が伝動ベルトにより伝動できるように連結され、前記伝動軸の頂端には第三傘歯車が固定的に設置され、前記伝動チャンバの右側端壁の中には動力軸が回転できるように設置され、前記動力軸の右端には第二回転盤が固定的に設置され、前記動力軸の左側末端には第四傘歯車が固定的に設置され、前記第四傘歯車と前記第三傘歯車とが噛み合い設置され、手動により前記第二回転盤を回転させ、これにより前記動力軸が前記第四傘歯車を回転連動させ、これにより前記第三傘歯車が前記動力プーリを回転連動させ、これにより前記従動プーリを回転させ、それにより第二傘歯車を回転させ、これにより前記第一傘歯車が前記ねじ山スリーブを回転連動させ、それにより前記ねじロッド軸を左右に移動させ、これにより前記スライドブロックを左右に移動させ、それにより前記ランプシェードが前記中部チャンバの中から伸び出すことができる又は前記中部チャンバの中に収納できる。
【０００７】
さらなる技術プラン、前記支え機構は前記底溝の頂壁に固定的に設置される挟み板を含み、前記挟み板が左右対称的に二組設置され、前記挟み板が弾性を持っており、前記挟み板の片側にある前記底溝の頂壁には止めブロックがいずれも固定的に設置され、前記底溝の前後端壁の間には第一支え板が回転できるように設置され、前記第一支え板が左右対称的に二組設置され、  前記第一支え板の片側末端には固定ブロックが固定的に設置され、前記第一支え板の前後端面にはいずれも第二支え板がヒンジにより設置され、手動により前記第一支え板を下ろし、これにより第二支え板を開け地面に置き、それにより前記ライト主体を支えることができる。
【０００８】
さらなる技術プラン、前記取っ手機構は前記頂部溝の左右両側端壁の中に設置される頂部スライド溝を含み、前記頂部スライド溝の中にはいずれも第三スライド板がスライドできるように設置され、前記第三スライド板と前記頂部スライド溝の片側端壁との間にはいずれもばねが取り付けられ、前記第三スライド板の片側端面にはいずれもスライドロッドが固定的に設置され、前記スライドロッドが前記頂部スライド溝の片側端壁を貫通しており、そして前記頂部スライド溝の片側端壁とがスライドできるように設置され、二組の前記スライドロッドの間には取っ手がヒンジにより連結され、手動で前記取っ手を上げることにより、前記ライト主体を携帯できる。
【発明の効果】
【０００９】
本発明の有益な効果は、野外で使用する時に、手提げにより照明でき、便利に携帯し、野外で食事をしている時、支え機構により地面に固定し、人工手持ちする必要がなく、そして調整機構により照明機構の照射角度を調整し、それにより便利に使用することを実現する。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の携帯用照明ライトの内部全体構成略図
【図２】図２は本発明の第一支え板の略図
【図３】図３は本発明のスライドブロックの略図
【図４】図４は本発明の図１のＡの局部拡大概略図
【図５】図５は本発明の第一支え板が開けられているときの状態図
【発明を実施するための形態】
【００１２】
図１〜５を参考し、本発明の携帯用照明ライトは、ライト主体１０を含み、前記ライト主体１０の中には中部チャンバ２３が設置され、前記中部チャンバ２３の左側部分の中には照明機構６０が設置され、前記中部チャンバ２３の右側部分の中には照明機構６０の角度を調整する調整機構６１が設置され、前記ライト主体１０の底端には底溝２１が設置され、前記底溝２１の中には装置全体を支える支え機構６２が設置され、前記ライト主体１０の頂端には頂部溝１１が設置され、前記頂部溝１１の中には取っ手機構６３が設置され、前記照明機構６０は前記中部チャンバ２３の中にスライドできるように設置されるスライドブロック３８を含み、前記スライドブロック３８の中には空き溝４２が設置され、前記空き溝４２の左側には矩形溝３６が設置され、前記矩形溝３６が上下に対称的に設置され、上下に対称している二組の前記矩形溝３６の間が連通し設置され、二組の前記矩形溝３６の中にはいずれも歯車３５が回転できるように設置され、前記歯車３５の前側端面にはいずれもプーリ３７が固定的に設置され、前記プーリ３７の間がベルト４５により伝動できるように連結され、前記空き溝４２の上下端壁には二組のスライド溝４０が対称的に設置され、上下に対称している二組の前記スライド溝４０の間には第一スライド板４１がスライドできるように設置され、前記第一スライド板４１の左側端面には第二スライド板４４が固定的に設置され、前記第二スライド板４４と前記ベルト４５とが固定的に設置され、二組の前記矩形溝３６の片側端壁にはいずれも横向きスライド溝３４が設置され、前記横向きスライド溝３４の左側が前記スライドブロック３８を貫通しており、前記横向きスライド溝３４の中にはいずれも横ラック３３がスライドできるように設置され、前記スライドブロック３８の左側端面にはランプシェード１３がヒンジにより連結され、前記ランプシェード１３の中には照明ライト１５が設置され、前記横ラック３３の左側端と前記ランプシェード１３の右端とが当接され、前記横ラック３３がスライドすることにより前記ランプシェード１３を揺れさせることができ、さらに前記照明ライト１５の角度を調整できる。
【００１３】
前記調整機構６１は前記中部チャンバ２３の中に固定的に設置される固定板２４を含み、前記固定板２４の中にはねじ山スリーブ２７が回転できるように設置され、前記ねじ山スリーブ筒２７の右端には第一傘歯車２５が固定的に設置され、前記ねじ山スリーブ筒２７の中にはねじロッド軸２８が回転できるようにねじ山により連結され、前記ねじロッド軸２８の左側末端と前記スライドブロック３８の右側とが固定的に連結され、前記ねじロッド軸２８の中にはスプライン軸２９が回転できるように設置され、前記スプライン軸２９の左側末端には前記第一スライド板４１と噛み合って設置される動力歯車４３が固定的に設置され、前記中部チャンバ２３の右側端壁の中にはスプラインスリーブ３０が回転できるように設置され、前記スプライン軸２９が前記スプラインスリーブ３０の中に挿入されており、且つ前記スプラインスリーブ３０とスプラインにより連結され、前記スプラインスリーブ３０と前記ねじロッド軸２８とが隙間ばめのように設置され、前記スプラインスリーブ３０の右側には第一回転盤３１が固定的に設置され、前記中部チャンバ２３の頂壁には従動回転軸５８が回転できるように設置され、前記従動回転軸５８の底端には前記第一傘歯車２５と噛み合っている第二傘歯車２６が固定的に設置され、前記従動回転軸５８の外周には従動プーリ５７が固定的に設置され、前記中部チャンバ２３の頂壁の中の右側位置には伝動チャンバ５２が設置され、前記伝動チャンバ５２と前記中部チャンバ２３との間には伝動軸５４が回転できるように設置され、前記伝動軸５４の底端には動力プーリ５５が固定的に設置され、前記動力プーリ５５と前記従動プーリ５７との間が伝動ベルト５６により伝動できるように連結され、前記伝動軸５４の頂端には第三傘歯車５３が固定的に設置され、前記伝動チャンバ５２の右側端壁の中には動力軸５１が回転できるように設置され、前記動力軸５１の右端には第二回転盤３２が固定的に設置され、前記動力軸５１の左側末端には第四傘歯車５０が固定的に設置され、前記第四傘歯車５０と前記第三傘歯車５３とが噛み合い設置され、手動により前記第二回転盤３２を回転させ、これにより前記動力軸５１が前記第四傘歯車５０を回転連動させ、これにより前記第三傘歯車５３が前記動力プーリ５５を回転連動させ、これにより前記従動プーリ５７を回転させ、それにより第二傘歯車２６を回転させ、これにより前記第一傘歯車２５が前記ねじ山スリーブ２７を回転連動させ、それにより前記ねじロッド軸２８を左右に移動させ、これにより前記スライドブロック３８を左右に移動させ、それにより前記ランプシェード１３が前記中部チャンバ２３の中から伸び出すことができる又は前記中部チャンバ２３の中に収納できる。
【００１４】
前記支え機構６２は前記底溝２１の頂壁に固定的に設置される挟み板２０を含み、前記挟み板２０が左右対称的に二組設置され、前記挟み板２０が弾性を持っており、前記挟み板２０の片側にある前記底溝２１の頂壁には止めブロック１９がいずれも固定的に設置され、前記底溝２１の前後端壁の間には第一支え板１７が回転できるように設置され、前記第一支え板１７が左右対称的に二組設置され、  前記第一支え板１７の片側末端には固定ブロック１８が固定的に設置され、前記第一支え板１７の前後端面にはいずれも第二支え板２２がヒンジにより設置され、手動により前記第一支え板１７を下ろし、これにより第二支え板２２を開け地面に置き、それにより前記ライト主体１０を支えることができる。
【００１５】
前記取っ手機構６３は前記頂部溝１１の左右両側端壁の中に設置される頂部スライド溝４６を含み、前記頂部スライド溝４６の中にはいずれも第三スライド板４９がスライドできるように設置され、前記第三スライド板４９と前記頂部スライド溝４６の片側端壁との間にはいずれもばね４７が取り付けられ、前記第三スライド板４９の片側端面にはいずれもスライドロッド４８が固定的に設置され、前記スライドロッド４８が前記頂部スライド溝４６の片側端壁を貫通しており、そして前記頂部スライド溝４６の片側端壁とがスライドできるように設置され、二組の前記スライドロッド４８の間には取っ手１２がヒンジにより連結され、手動で前記取っ手１２を上げることにより、前記ライト主体１０を携帯できる。
【００１６】
取っ手を正常に使用する時、手動により取っ手１２を取り上げ、照明ライト１５をつけ使用し、ライトを地面に固定する必要がある時、手動により第一支え板１７を下ろし、これにより第二支え板２２を開け地面に置き、それによりライト主体１０を支えることができ、手動により第二回転盤３２を回転させ、これにより動力軸５１が第四傘歯車５０を回転連動させ、これにより第三傘歯車５３が動力プーリ５５を回転連動させ、これにより従動プーリ５７を回転させ、それにより第二傘歯車２６を回転させ、これにより第一傘歯車２５がねじ山スリーブ２７を回転連動させ、それによりねじロッド軸２８を左に移動させ、これにより前記スライドブロック３８を左に移動させ、それによりランプシェード１３が中部チャンバ２３から伸び出すことができ、その時第一回転盤３１を回転させ、スプラインスリーブ３０を回転させ、さらにスプライン軸２９を回転させ、スプライン軸２９が動力歯車４３を回転連動させ、第一スライド板４１を上に又は下にスライドさせ、さらに歯車３５を時計方向に回転させ又は反時計方向に回転させ、それにより横ラック３３をスライドさせ、さらにランプシェード１３を揺れさせ、それにより前記照明ライト１５の照射角度を調整する。
【００１７】
本発明の有益な効果は、野外で使用する時に、手提げにより照明でき、便利に携帯し、野外で食事をしている時、支え機構により地面に固定し、人工手持ちする必要がなく、そして調整機構により照明機構の照射角度を調整し、それにより便利に使用することを実現する。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020181800.tif 000003
【図２】
2020181800.tif 000004
【図３】
2020181800.tif 000005
【図４】
2020181800.tif 000006
【図５】
2020181800.tif 000007
【手続補正書】
【提出日】令和1年12月4日(2019.12.4)
【手続補正１】
【補正対象書類名】特許請求の範囲
【補正対象項目名】請求項４
【補正方法】変更
【補正の内容】
【請求項４】
前記取っ手機構は前記頂部溝の左右両側端壁の中に設置される頂部スライド溝を含み、前記頂部スライド溝の中にはいずれも第三スライド板がスライドできるように設置され、前記第三スライド板と前記頂部スライド溝の片側端壁との間にはいずれもばねが取り付けられ、前記第三スライド板の片側端面にはいずれもスライドロッドが固定的に設置され、前記スライドロッドが前記頂部スライド溝の片側端壁を貫通しており、そして前記スライドロッドと前記頂部スライド溝の片側端壁とがスライドできるように設置され、二組の前記スライドロッドの間には取っ手がヒンジにより連結され、手動で前記取っ手を上げることにより、前記ライト主体を携帯できることを特徴とする請求項１に記載の携帯用照明ライト。
【手続補正２】
【補正対象書類名】明細書
【補正対象項目名】全文
【補正方法】変更
【補正の内容】
【発明の詳細な説明】
【技術分野】
【０００１】
本発明は照明ライト技術分野を取り上げて、具体的には携帯用照明ライトである。
【背景技術】
【０００２】
現在市場にある手提げ式照明ライトは、大部分が単一の手提げ照明の機能しか持たなく、野外照明を満たすことができなく、例えば、野外で食事をしている時、照明ライトを使用したいなら、手で持つか、どこかに固定するかしかできないが、照明ライトの固定が非常に不便であり、そして固定した後に照射角度を調整しにくい。
【先行技術文献】
【特許文献】
【０００３】
【特許文献１】中国特許出願公開第１０４０４８１６９号明細書
【発明の概要】
【発明が解決しようとする課題】
【０００４】
本発明の目的は携帯用照明ライトを提供し、それは上記の現在の技術中の問題を解決できる。
【課題を解決するための手段】
【０００５】
本発明の携帯用照明ライトは、ライト主体を含み、前記ライト主体の中には中部チャンバが設置され、前記中部チャンバの左側部分の中には照明機構が設置され、前記中部チャンバの右側部分の中には照明機構の角度を調整する調整機構が設置され、前記ライト主体の底端には底溝が設置され、前記底溝の中には装置全体を支える支え機構が設置され、前記ライト主体の頂端には頂部溝が設置され、前記頂部溝の中には取っ手機構が設置され、前記照明機構は前記中部チャンバの中にスライドできるように設置されるスライドブロックを含み、前記スライドブロックの中には空き溝が設置され、前記空き溝の左側には矩形溝が設置され、前記矩形溝が上下に対称的に設置され、上下に対称している二組の前記矩形溝の間が連通し設置され、二組の前記矩形溝の中にはいずれも歯車が回転できるように設置され、前記歯車の前側端面にはいずれもプーリが固定的に設置され、前記プーリの間がベルトにより伝動できるように連結され、前記空き溝の上下端壁には二組のスライド溝が対称的に設置され、上下に対称している二組の前記スライド溝の間には第一スライド板がスライドできるように設置され、前記第一スライド板の左側端面には第二スライド板が固定的に設置され、前記第二スライド板と前記ベルトとが固定的に設置され、二組の前記矩形溝の片側端壁にはいずれも横向きスライド溝が設置され、前記横向きスライド溝の左側が前記スライドブロックを貫通しており、前記横向きスライド溝の中にはいずれも横ラックがスライドできるように設置され、前記スライドブロックの左側端面にはランプシェードがヒンジにより連結され、前記ランプシェードの中には照明ライトが設置され、前記横ラックの左側端と前記ランプシェードの右端とが当接され、前記横ラックがスライドすることにより前記ランプシェードを揺れさせることができ、さらに前記照明ライトの角度を調整できる。
【０００６】
さらなる技術プラン、前記調整機構は前記中部チャンバの中に固定的に設置される固定板を含み、前記固定板の中にはねじ山スリーブが回転できるように設置され、前記ねじ山スリーブ筒の右端には第一傘歯車が固定的に設置され、前記ねじ山スリーブ筒の中にはねじロッド軸が回転できるようにねじ山により連結され、前記ねじロッド軸の左側末端と前記スライドブロックの右側とが固定的に連結され、前記ねじロッド軸の中にはスプライン軸が回転できるように設置され、前記スプライン軸の左側末端には前記第一スライド板と噛み合って設置される動力歯車が固定的に設置され、前記中部チャンバの右側端壁の中にはスプラインスリーブが回転できるように設置され、前記スプライン軸が前記スプラインスリーブの中に挿入されており、且つ前記スプラインスリーブとスプラインにより連結され、前記スプラインスリーブと前記ねじロッド軸とが隙間ばめのように設置され、前記スプラインスリーブの右側には第一回転盤が固定的に設置され、前記中部チャンバの頂壁には従動回転軸が回転できるように設置され、前記従動回転軸の底端には前記第一傘歯車と噛み合っている第二傘歯車が固定的に設置され、前記従動回転軸の外周には従動プーリが固定的に設置され、前記中部チャンバの頂壁の中の右側位置には伝動チャンバが設置され、前記伝動チャンバと前記中部チャンバとの間には伝動軸が回転できるように設置され、前記伝動軸の底端には動力プーリが固定的に設置され、前記動力プーリと前記従動プーリとの間が伝動ベルトにより伝動できるように連結され、前記伝動軸の頂端には第三傘歯車が固定的に設置され、前記伝動チャンバの右側端壁の中には動力軸が回転できるように設置され、前記動力軸の右端には第二回転盤が固定的に設置され、前記動力軸の左側末端には第四傘歯車が固定的に設置され、前記第四傘歯車と前記第三傘歯車とが噛み合い設置され、手動により前記第二回転盤を回転させ、これにより前記動力軸が前記第四傘歯車を回転連動させ、これにより前記第三傘歯車が前記動力プーリを回転連動させ、これにより前記従動プーリを回転させ、それにより第二傘歯車を回転させ、これにより前記第一傘歯車が前記ねじ山スリーブを回転連動させ、それにより前記ねじロッド軸を左右に移動させ、これにより前記スライドブロックを左右に移動させ、それにより前記ランプシェードが前記中部チャンバの中から伸び出すことができる又は前記中部チャンバの中に収納できる。
【０００７】
さらなる技術プラン、前記支え機構は前記底溝の頂壁に固定的に設置される挟み板を含み、前記挟み板が左右対称的に二組設置され、前記挟み板が弾性を持っており、前記挟み板の片側にある前記底溝の頂壁には止めブロックがいずれも固定的に設置され、前記底溝の前後端壁の間には第一支え板が回転できるように設置され、前記第一支え板が左右対称的に二組設置され、前記第一支え板の片側末端には固定ブロックが固定的に設置され、前記第一支え板の前後端面にはいずれも第二支え板がヒンジにより設置され、手動により前記第一支え板を下ろし、これにより第二支え板を開け地面に置き、それにより前記ライト主体を支えることができる。
【０００８】
さらなる技術プラン、前記取っ手機構は前記頂部溝の左右両側端壁の中に設置される頂部スライド溝を含み、前記頂部スライド溝の中にはいずれも第三スライド板がスライドできるように設置され、前記第三スライド板と前記頂部スライド溝の片側端壁との間にはいずれもばねが取り付けられ、前記第三スライド板の片側端面にはいずれもスライドロッドが固定的に設置され、前記スライドロッドが前記頂部スライド溝の片側端壁を貫通しており、そして前記スライドロッドと前記頂部スライド溝の片側端壁とがスライドできるように設置され、二組の前記スライドロッドの間には取っ手がヒンジにより連結され、手動で前記取っ手を上げることにより、前記ライト主体を携帯できる。
【発明の効果】
【０００９】
本発明の有益な効果は、野外で使用する時に、手提げにより照明でき、便利に携帯し、野外で食事をしている時、支え機構により地面に固定し、人工手持ちする必要がなく、そして調整機構により照明機構の照射角度を調整し、それにより便利に使用することを実現する。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の携帯用照明ライトの内部全体構成略図
【図２】図２は本発明の第一支え板の略図
【図３】図３は本発明のスライドブロックの略図
【図４】図４は本発明の図１のＡの局部拡大概略図
【図５】図５は本発明の第一支え板が開けられているときの状態図
【発明を実施するための形態】
【００１２】
図１〜５を参考し、本発明の携帯用照明ライトは、ライト主体１０を含み、前記ライト主体１０の中には中部チャンバ２３が設置され、前記中部チャンバ２３の左側部分の中には照明機構６０が設置され、前記中部チャンバ２３の右側部分の中には照明機構６０の角度を調整する調整機構６１が設置され、前記ライト主体１０の底端には底溝２１が設置され、前記底溝２１の中には装置全体を支える支え機構６２が設置され、前記ライト主体１０の頂端には頂部溝１１が設置され、前記頂部溝１１の中には取っ手機構６３が設置され、前記照明機構６０は前記中部チャンバ２３の中にスライドできるように設置されるスライドブロック３８を含み、前記スライドブロック３８の中には空き溝４２が設置され、前記空き溝４２の左側には矩形溝３６が設置され、前記矩形溝３６が上下に対称的に設置され、上下に対称している二組の前記矩形溝３６の間が連通し設置され、二組の前記矩形溝３６の中にはいずれも歯車３５が回転できるように設置され、前記歯車３５の前側端面にはいずれもプーリ３７が固定的に設置され、前記プーリ３７の間がベルト４５により伝動できるように連結され、前記空き溝４２の上下端壁には二組のスライド溝４０が対称的に設置され、上下に対称している二組の前記スライド溝４０の間には第一スライド板４１がスライドできるように設置され、前記第一スライド板４１の左側端面には第二スライド板４４が固定的に設置され、前記第二スライド板４４と前記ベルト４５とが固定的に設置され、二組の前記矩形溝３６の片側端壁にはいずれも横向きスライド溝３４が設置され、前記横向きスライド溝３４の左側が前記スライドブロック３８を貫通しており、前記横向きスライド溝３４の中にはいずれも横ラック３３がスライドできるように設置され、前記スライドブロック３８の左側端面にはランプシェード１３がヒンジにより連結され、前記ランプシェード１３の中には照明ライト１５が設置され、前記横ラック３３の左側端と前記ランプシェード１３の右端とが当接され、前記横ラック３３がスライドすることにより前記ランプシェード１３を揺れさせることができ、さらに前記照明ライト１５の角度を調整できる。
【００１３】
前記調整機構６１は前記中部チャンバ２３の中に固定的に設置される固定板２４を含み、前記固定板２４の中にはねじ山スリーブ２７が回転できるように設置され、前記ねじ山スリーブ筒２７の右端には第一傘歯車２５が固定的に設置され、前記ねじ山スリーブ筒２７の中にはねじロッド軸２８が回転できるようにねじ山により連結され、前記ねじロッド軸２８の左側末端と前記スライドブロック３８の右側とが固定的に連結され、前記ねじロッド軸２８の中にはスプライン軸２９が回転できるように設置され、前記スプライン軸２９の左側末端には前記第一スライド板４１と噛み合って設置される動力歯車４３が固定的に設置され、前記中部チャンバ２３の右側端壁の中にはスプラインスリーブ３０が回転できるように設置され、前記スプライン軸２９が前記スプラインスリーブ３０の中に挿入されており、且つ前記スプラインスリーブ３０とスプラインにより連結され、前記スプラインスリーブ３０と前記ねじロッド軸２８とが隙間ばめのように設置され、前記スプラインスリーブ３０の右側には第一回転盤３１が固定的に設置され、前記中部チャンバ２３の頂壁には従動回転軸５８が回転できるように設置され、前記従動回転軸５８の底端には前記第一傘歯車２５と噛み合っている第二傘歯車２６が固定的に設置され、前記従動回転軸５８の外周には従動プーリ５７が固定的に設置され、前記中部チャンバ２３の頂壁の中の右側位置には伝動チャンバ５２が設置され、前記伝動チャンバ５２と前記中部チャンバ２３との間には伝動軸５４が回転できるように設置され、前記伝動軸５４の底端には動力プーリ５５が固定的に設置され、前記動力プーリ５５と前記従動プーリ５７との間が伝動ベルト５６により伝動できるように連結され、前記伝動軸５４の頂端には第三傘歯車５３が固定的に設置され、前記伝動チャンバ５２の右側端壁の中には動力軸５１が回転できるように設置され、前記動力軸５１の右端には第二回転盤３２が固定的に設置され、前記動力軸５１の左側末端には第四傘歯車５０が固定的に設置され、前記第四傘歯車５０と前記第三傘歯車５３とが噛み合い設置され、手動により前記第二回転盤３２を回転させ、これにより前記動力軸５１が前記第四傘歯車５０を回転連動させ、これにより前記第三傘歯車５３が前記動力プーリ５５を回転連動させ、これにより前記従動プーリ５７を回転させ、それにより第二傘歯車２６を回転させ、これにより前記第一傘歯車２５が前記ねじ山スリーブ２７を回転連動させ、それにより前記ねじロッド軸２８を左右に移動させ、これにより前記スライドブロック３８を左右に移動させ、それにより前記ランプシェード１３が前記中部チャンバ２３の中から伸び出すことができる又は前記中部チャンバ２３の中に収納できる。
【００１４】
前記支え機構６２は前記底溝２１の頂壁に固定的に設置される挟み板２０を含み、前記挟み板２０が左右対称的に二組設置され、前記挟み板２０が弾性を持っており、前記挟み板２０の片側にある前記底溝２１の頂壁には止めブロック１９がいずれも固定的に設置され、前記底溝２１の前後端壁の間には第一支え板１７が回転できるように設置され、前記第一支え板１７が左右対称的に二組設置され、前記第一支え板１７の片側末端には固定ブロック１８が固定的に設置され、前記第一支え板１７の前後端面にはいずれも第二支え板２２がヒンジにより設置され、手動により前記第一支え板１７を下ろし、これにより第二支え板２２を開け地面に置き、それにより前記ライト主体１０を支えることができる。
【００１５】
前記取っ手機構６３は前記頂部溝１１の左右両側端壁の中に設置される頂部スライド溝４６を含み、前記頂部スライド溝４６の中にはいずれも第三スライド板４９がスライドできるように設置され、前記第三スライド板４９と前記頂部スライド溝４６の片側端壁との間にはいずれもばね４７が取り付けられ、前記第三スライド板４９の片側端面にはいずれもスライドロッド４８が固定的に設置され、前記スライドロッド４８が前記頂部スライド溝４６の片側端壁を貫通しており、そして前記スライドロッド４８と前記頂部スライド溝４６の片側端壁とがスライドできるように設置され、二組の前記スライドロッド４８の間には取っ手１２がヒンジにより連結され、手動で前記取っ手１２を上げることにより、前記ライト主体１０を携帯できる。
【００１６】
取っ手を正常に使用する時、手動により取っ手１２を取り上げ、照明ライト１５をつけ使用し、ライトを地面に固定する必要がある時、手動により第一支え板１７を下ろし、これにより第二支え板２２を開け地面に置き、それによりライト主体１０を支えることができ、手動により第二回転盤３２を回転させ、これにより動力軸５１が第四傘歯車５０を回転連動させ、これにより第三傘歯車５３が動力プーリ５５を回転連動させ、これにより従動プーリ５７を回転させ、それにより第二傘歯車２６を回転させ、これにより第一傘歯車２５がねじ山スリーブ２７を回転連動させ、それによりねじロッド軸２８を左に移動させ、これにより前記スライドブロック３８を左に移動させ、それによりランプシェード１３が中部チャンバ２３から伸び出すことができ、その時第一回転盤３１を回転させ、スプラインスリーブ３０を回転させ、さらにスプライン軸２９を回転させ、スプライン軸２９が動力歯車４３を回転連動させ、第一スライド板４１を上に又は下にスライドさせ、さらに歯車３５を時計方向に回転させ又は反時計方向に回転させ、それにより横ラック３３をスライドさせ、さらにランプシェード１３を揺れさせ、それにより前記照明ライト１５の照射角度を調整する。
【００１７】
本発明の有益な効果は、野外で使用する時に、手提げにより照明でき、便利に携帯し、野外で食事をしている時、支え機構により地面に固定し、人工手持ちする必要がなく、そして調整機構により照明機構の照射角度を調整し、それにより便利に使用することを実現する。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。